(57)【要約】【課題】構造簡素にしながら、タンパーエビデントバンドがキャップ本体と共にペットボトルから取り外せるペットボトルのキャップを得る。【解決手段】内周にペットボトル（１）の口部に螺合する雌ねじ（７ａ）が形成されたキャップ本体（７）と、該キャップ本体（７）の下部に一体的に連結された環状のタンパーエビデントバンド（８）とを一体に有するプラスチック製のキャップ（６）を設け、前記タンパーエビデントバンド（８）に縦方向に延びる切れ目（８ａ）を円周方向に複数形成し、前記タンパーエビデントバンド（８）の内周下部に、前記切れ目（８ａ）間から軸心方向に突出してペットボトル（１）の口部（３）に形成された鍔部（５）に係合する係止片（８ｂ）を円周方向に複数形成する。【選択図】図３
2010036934.tif 000002
【特許請求の範囲】
【請求項１】
内周にペットボトル（１）の口部に螺合する雌ねじ（７ａ）が形成されたキャップ本体（７）と、該キャップ本体（７）の下部に一体的に連結された環状のタンパーエビデントバンド（８）とを一体に有するプラスチック製のキャップ（６）を設け、前記タンパーエビデントバンド（８）に縦方向に延びる切れ目（８ａ）を円周方向に複数形成し、前記タンパーエビデントバンド（８）の内周下部に、前記切れ目（８ａ）間から軸心方向に突出してペットボトル（１）の口部（３）に形成された鍔部（５）に係合する係止片（８ｂ）を円周方向に複数形成したことを特徴とするペットボトルのキャップ。
【請求項２】
切れ目（８ａ）は、タンパーエビデントバンド（８）を貫通する小孔が縦方向に所定ピッチで形成されたミシン孔（８ａ’）としたことを特徴とする請求項１記載のペットボトルのキャップ。
【請求項３】
タンパーエビデントバンド（８）を環状の薄肉部（９ａ）によってキャップ本体（７）の下部に連結したことを特徴とする請求項１又は２記載のペットボトルのキャップ。
【発明の詳細な説明】
【技術分野】
【０００１】
本発明は、ペットボトルの口を開閉するプラスチック製のキャップに関するするものである。
【背景技術】
【０００２】
従来の技術として、ボトル口に螺合状態で被冠する被冠部と、ボトル口の鍔部に係止するタンパーエビデントバンドを複数のブリッジで連結し、前記タンパーエビデントバンドに、開栓時に破断する縦スコアを設け、開栓後にタンパーエビデントバンドがボトル口に残留しないようにしたプラスチック製のキャップがあった。
【０００３】
前記従来のものは、タンパーエビデントバンドが円周方向に配列された多数のブリッジで被冠部に連結されていたので、開栓時にこのブリッジが破断し易く、タンパーエビデントバンドを安定して被冠部とともにボトル口から離脱させることができないものであった。
【特許文献１】特開平８−４０４４７号公報
【発明の開示】
【発明が解決しようとする課題】
【０００４】
本発明は、構造簡素にしながら、タンパーエビデントバンドがキャップ本体と共にペットボトルから取り外せるペットボトルのキャップを得ることを目的とする。
【課題を解決するための手段】
【０００５】
請求項１に係る発明は、内周にペットボトルの口部に螺合する雌ねじが形成されたキャップ本体と、該キャップ本体の下部に一体的に連結された環状のタンパーエビデントバンドとを一体に有するプラスチック製のキャップを設け、前記タンパーエビデントバンドに縦方向に延びる切れ目を円周方向に複数形成し、前記タンパーエビデントバンドの内周下部に、前記切れ目間から軸心方向に突出してペットボトルの口部に形成された鍔部に係合する係止片を円周方向に複数形成する構成にしたものである。
請求項２に係る発明は、切れ目を、タンパーエビデントバンドを貫通する小孔が縦方向に所定ピッチで形成されたミシン孔としたものである。
請求項３に係る発明は、前記タンパーエビデントバンドを環状の薄肉部によってキャップ本体の下部に連結したものである。
【発明の効果】
【０００６】
請求項１に係る発明は、ペットボトルに取り付けたキャップを離脱方向に回転させると、タンパーエビデントバンドの係止片がペットボトルの鍔部に係合し、タンパーエビデントバンドが前記鍔部によって拡開方向の負荷を受け、各切れ目が分離することになる。各切れ目が分離すると、タンパーエビデントバンドが拡開して前記係止片が鍔部を乗り越え、タンパーエビデントバンドはキャップ本体と共にペットボトルの口部から離脱することになる。このため、キャップを一度ペットボトルから外すと、タンパーエビデントバンドが周方向に分割されて広がり、使用されたことが視覚を通じて明確に判断できるとともに、タンパーエビデントバンドはキャップ本体と連結されているため、不用意に捨てられることがなくなる。
【０００７】
請求項２に係る発明は、切れ目をミシン孔としたので、外観が損なわれなくなる。また、請求項３に係る発明は、前記各切れ目の分離によってタンパーエビデントバンドが円周方向に分割されると、各分割片が薄肉部を中心として小負荷で半径方向外方に拡開し、キャップの離脱方向の回転負荷が軽減し、キャップをペットボトルから容易に取り外すことができる。
【発明を実施するための最良の形態】
【０００８】
以下本発明の実施の形態を図面に基いて説明する。図面において、図１は本発明によるキャップの一部断面側面図、図２は図１のII-II線による部分断面図、図３はキャップの取付け状態を示す一部断面側面図、図４は図３のIV-IV線による拡大断面図である。
【０００９】
図１〜図４において、１はペットボトル、6 は該ペットボトル１の口部３を閉塞するプラスチック製のキャップである。前記ペットボトル１はポリエチレンにより胴部２及び口部３が一体に形成され、口部３の外周には、雄ねじ４が形成されるとともに、該雄ねじ４の直下方に環状の鍔部５が形成されている。該鍔部５は図３に示すように、下面が外周に向かって上方に傾斜し、後述するタンパーエビデントバンド８の係止片８ｂが径方向外方に開き易くなるようにしている。
【００１０】
６は前記ペットボトル１の口部３に取付けられるキャップであり、本例ではポリプロピレンにより形成されている。該キャップ６は、キャップ本体７の下部に環状のタンパーエビデントバンド８を一体に有する。
【００１１】
前記キャップ本体７は、内周に前記ペットボトル１の雄ねじ４とねじ嵌合（螺合）する雌ねじ７ａが形成され、外周部に摩擦係合用のセレーション７ｂが形成されている。前記キャップ本体７とタンパーエビデントバンド８との境界部にリング状の溝９を形成し、タンパーエビデントバンド８の上部は、前記溝９によって薄肉に形成された薄肉部９ａによってキャップ本体７に連結されている。
【００１２】
前記タンパーエビデントバンド８は、その内径を前記ペットボトル１の鍔部５に遊嵌する径に形成するとともに、外周の９カ所に縦方向の切れ目８ａを等ピッチで形成する。また、前記切れ目８ａ間に位置するタンパーエビデントバンド８の内周下部に軸心方向に突出する薄肉の係止片８ｂを円周方向に所定ピッチで形成する。なお、前記切れ目８ａは、ミシン孔、即ち、タンパーエビデントバンド（８）を貫通する小孔が縦方向に所定ピッチで形成されたミシン孔８ａ’（図１）としてもよい。
【００１３】
１０は前記キャップ６をペットボトル１の口部３に取り付ける取付け治具であり、図３、図４に示すように、筒状に形成され、内周に前記キャップ本体７の外周に嵌合してそのセレーション７ｂと係合する凹凸条を有する係合面１０ａと、前記タンパーエビデントバンド８の外周に密接に嵌合する規制面１０ｂとを有する。
【００１４】
そして、前記キャップ６をペットボトル１の口部３に取り付ける際には、前記取付け治具１０の係合面１０ａをペットボトル１のセレーション７ｂに嵌合係止するとともに、取付け治具１０の規制面１０ｂをタンパーエビデントバンド８の外周に密接に嵌合させ、この状態で前記取付け治具１０をねじ込み方向に回転させる。これにより、前記係合面１０ａ、セレーション７ｂを介してキャップ６をねじ込み方向に回転させてその雌ねじ７ａをペットボトル１の雄ねじ４にねじ込むとともに、規制面１０ｂでタンパーエビデントバンド８の拡開を規制し、係止片８ｂを弾性変形させてペットボトル１の鍔部５を通過させる。
【００１５】
前記実施例によれば、キャップ本体７を握って反螺合方向に回転させると、タンパーエビデントバンド８の係止片８ｂがペットボトル１の鍔部５に係合し、タンパーエビデントバンド８が前記鍔部５によって拡開され、各切れ目８ａが分離してタンパーエビデントバンド８が円周方向の複数箇所で分割されて半径方向外方に拡開する。これにより、タンパーエビデントバンド８の係止片８ｂが鍔部５を乗り越え、タンパーエビデントバンド８はキャップ本体７共にペットボトル１の口部３から離脱することになる。これにより、キャップ６を一度ペットボトル１から外すと、周方向に分割されたタンパーエビデントバンド８が半径方向外方に広がり、使用されたことが視覚を通じて明確に判断できる。また、タンパーエビデントバンド８はキャップ本体７と連結されているため、単独で不用意に捨てられることがなくなる。
【００１６】
そして、材質の異なるペットボトル１とキャップ本体７及びタンパーエビデントバンド８とを分別して回収することができる。また、タンパーエビデントバンド８は、薄肉部９ａによってキャップ本体７に連結されているので、前記各切れ目８ａの分離によってタンパーエビデントバンド８が円周方向に分割されると、各分割片が薄肉部９ａを中心として小負荷で半径方向外方に大きく拡開し、キャップ６をペットボトル１から容易に取り外すことができるとともに、キャップ６の取り外しの有無が視覚を通じてより明確に判断できることになる。
【図面の簡単な説明】
【００１７】
【図１】本発明によるキャップの一部断面側面図である。
【図２】図１のII-II線による部分断面図である。
【図３】キャップの取付け状態を示す一部断面側面図である。
【図４】図３のIV-IV線による拡大断面図である。
【符号の説明】
【００１８】
１    ペットボトル
２    胴部
３    口部
４    雄ねじ
５    鍔部
６    キャップ
７    キャップ本体
７ａ  雌ねじ
７ｂ  セレーション
８    タンパーエビデントバンド
８ａ（８ａ’）  切れ目
８ｂ  係止片
９    溝
９ａ  薄肉部
１０    取付け治具
１０ａ  係合面
１０ｂ  規制面
【図１】
2010036934.tif 000003
【図２】
2010036934.tif 000004
【図３】
2010036934.tif 000005
【図４】
2010036934.tif 000006